【手続補正書】
【提出日】平成20年4月2日(2008.4.2)
【手続補正１】
【補正対象書類名】特許請求の範囲
【補正対象項目名】全文
【補正方法】変更
【補正の内容】
【特許請求の範囲】
【請求項１】
点光源を収容する収納部及び側面を有する第１レンズ部と、
前記第１レンズ部の側面と対向する面を含み、壁形状を有して、前記第１レンズ部の周辺部に配置され、前記第１レンズ部と異なる形状を有する第２レンズ部と、
前記第１レンズ部の側面と、前記第１レンズ部の側面と対向する面とを連結する連結部と、を含み、
前記点光源から発生した光は、前記第１及び第２レンズ部を順次に通過することを特徴とする光学レンズシステム。
【請求項２】
前記第１レンズ部の高さは、前記第１レンズ部の幅より小さく、前記第２レンズ部の高さは、前記第２レンズ部の幅より大きいことを特徴とする請求項１記載の光学レンズシステム。
【請求項３】
前記第１レンズ部は、前記点光源から出射された前記光を第１方向に拡張し、前記第２レンズ部は、前記拡張された光を前記第１方向と異なる第２方向に拡張することを特徴とする請求項２記載の光学レンズシステム。
【請求項４】
前記第１方向は前記第１レンズ部の幅方向で、前記第２方向は前記第２レンズ部の高さ方向であることを特徴とする請求項３記載の光学レンズシステム。
【請求項５】
前記第１方向は、前記第２方向に対して垂直であることを特徴とする請求項３記載の光学レンズシステム。
【請求項６】
前記第２レンズ部は、前記第１レンズ部の少なくとも一部を囲むことを特徴とする請求項１記載の光学レンズシステム。
【請求項７】
前記第１レンズ部は、ドーム形状を有する上面を含み、前記第１レンズ部の側面は円柱形状を有することを特徴とする請求項１記載の光学レンズシステム。
【請求項８】
前記第２レンズ部は、円筒形状を有することを特徴とする請求項１記載の光学レンズシステム。
【請求項９】
前記第２レンズ部は、前記第２レンズ部の外側面に形成された第１凸部及び前記第２レンズ部の内側面に形成された第２凸部を含むことを特徴とする請求項１記載の光学レンズシステム。
【請求項１０】
前記第２レンズ部は、前記第２レンズ部の外側面に形成された凸部を含むことを特徴とする請求項１記載の光学レンズシステム。
【請求項１１】
前記第２レンズ部は、前記第２レンズ部の内側面に形成された凸部を含むことを特徴とする請求項１記載の光学レンズシステム。
【請求項１２】
前記連結部は、前記第１レンズ部の外側面及び前記第２レンズ部の内側面に連結されることを特徴とする請求項１記載の光学レンズシステム。
【請求項１３】
前記第２レンズ部は、前記連結部に対して鈍角を形成することを特徴とする請求項１記載の光学レンズシステム。
【請求項１４】
前記連結部の上面から前記第１レンズ部の上端までの第１の高さは、前記連結部の下面から前記第２レンズ部の上端までの第２の高さより低いことを特徴とする請求項１記載の光学レンズシステム。
【請求項１５】
点光源を収容する収納部及び側面を有する第１レンズユニットと、
前記第１レンズユニットの側面に対向する面を含み、前記第１レンズユニットの周辺を囲むレンズ部及び前記第１レンズユニットの側面と対向する面から延長され、前記第１レンズユニットの側面と対向する面を開口を通して第１レンズユニットの側面に連結する連結部を有する第２レンズユニットと、を含むことを特徴とする光学レンズシステム。
【請求項１６】
基板と、
前記基板上に配置され、前記基板を通して印加された電源によってそれぞれカラー光を発生する点光源と、
各点光源を収容する収納部及び側面を有する第１レンズ部、前記第１レンズ部の側面に対向する面を含み、前記第１レンズ部の周辺部に配置され、前記第１レンズ部と異なる形状を有する第２レンズ部、及び前記第１レンズ部の側面を前記第１レンズ部の側面と対向する面に連結する連結部を含む光学レンズと、を含み、
前記各点光源から発生した前記カラー光は、前記第１及び第２レンズ部を順次に通過することを特徴とする光学モジュール。
【請求項１７】
前記第１レンズ部の高さは前記第１レンズ部の幅より小さく、前記第２レンズ部の高さは前記第２レンズ部の幅より大きいことを特徴とする請求項１６記載の光学モジュール。
【請求項１８】
前記第１レンズ部は、前記点光源から出射された前記カラー光を第１方向に拡張し、前記第２レンズ部は、前記拡張されたカラー光を前記第１方向と異なる第２方向に拡張することを特徴とする請求項１７記載の光学モジュール。
【請求項１９】
前記点光源は、赤色点光源、緑色点光源、及び青色点光源を含むことを特徴とする請求項１６記載の光学モジュール。
【請求項２０】
前記第２レンズ部は、前記連結部に対して鈍角を形成することを特徴とする請求項１６記載の光学モジュール。
【請求項２１】
前記第２レンズ部は、前記第２レンズ部の外側面に形成された凸部を含むことを特徴とする請求項１６記載の光学モジュール。
【請求項２２】
前記第２レンズ部は、前記第２レンズ部の内側面に形成された凸部を含むことを特徴とする請求項１６記載の光学モジュール。
【請求項２３】
基板、前記基板上に配置され、前記基板を通して印加された電源によってそれぞれカラー光を発生する点光源、前記各点光源を収容する収納部及び側面を有する第１レンズ部、前記第１レンズ部の側面と対向する面を含み、前記第１レンズ部の周辺部に配置され前記第１レンズ部と異なる形状を有する第２レンズ部及び前記第１レンズ部の側面を前記第１レンズ部の側面に対向する面に連結する連結部を含み、前記各点光源から発生した前記カラー光は前記第１及び第２レンズ部を順次に通過する光学レンズを含む光学モジュールと、
前記光学モジュールを収納する収納容器と、を含むことを特徴とするバックライトアセンブリ。
【請求項２４】
前記収納容器は、前記光学モジュールを収納するために、前記収納容器の底部に形成された収納部を含むことを特徴とする請求項２３記載のバックライトアセンブリ。
【請求項２５】
前記収納容器は、前記光学モジュール及び前記収納部の間に介在された薄膜形態の放熱板を含むことを特徴とする請求項２４記載のバックライトアセンブリ。
【請求項２６】
前記第２レンズ部は、前記第２レンズ部の外側面に形成された第１凸部及び前記第２レンズ部の内側面に形成された第２凸部を含むことを特徴とする請求項２３記載のバックライトアセンブリ。
【請求項２７】
前記収納容器は、白色光を拡散させる拡散板を含むことを特徴とする請求項２３記載のバックライトアセンブリ。
【請求項２８】
前記収納容器は、前記光学モジュールから出射された前記カラー光をミキシングする光ミキシング部材を含むことを特徴とする請求項２３記載のバックライトアセンブリ。
【請求項２９】
基板、前記基板上に配置され、前記基板を通して印加された電源によってそれぞれ光を発生する点光源、前記各点光源を収容する収納部及び側面を有する第１レンズ部、前記第１レンズ部の側面と対向する面を含み、前記第１レンズ部の周辺部に配置され前記第１レンズ部と異なる形状を有する第２レンズ部及び前記第１レンズ部の側面を前記第１レンズ部の側面に対向する面に連結する連結部を含み、前記各点光源から発生した前記光は前記第１及び第２レンズ部を順次に通過する光学レンズを含む光学モジュールと、
前記光学モジュールを収納する収納容器と、
前記収納容器に配置され、前記光を拡散して拡散光を発生する拡散板と、
前記収納容器に配置され、前記拡散光に基づいて画像を発生する表示パネルと、を含むことを特徴とする表示装置。
【請求項３０】
前記収納容器は、前記光学モジュールから出射された前記光をミキシングして白色光を発生する光ミキシング部材を含むことを特徴とする請求項２９記載の表示装置。
【手続補正２】
【補正対象書類名】明細書
【補正対象項目名】００７４
【補正方法】変更
【補正の内容】
【００７４】
底面２１１は、光学部材２１８の光入射面２１８ａと向かい合う。底面２１１は、例えば、光入射面２１８ａの形状と対応する矩形形状を有する。
【手続補正３】
【補正対象書類名】明細書
【補正対象項目名】００８６
【補正方法】変更
【補正の内容】
【００８６】
図１３を参照すると、本実施例によるバックライトアセンブリ２０２は、放熱部材２７０を含む。放熱部材２７０は、収納容器２１０の底面２１１に形成された収納部２１１ａ及び光学モジュール１００の基板１１０の間に介在される。本実施例による放熱部材２７０は、例えば、薄膜形状を有する。米国のグラフテック社（Ｇｒａｆｔｅｃｈ  Ｉｎｔｅｒｎａｔｉｏｎｌ  Ｌｔｄ．）で製造したスプレッダーシールド（ＳｐｒｅａｄｅｒＳｈｉｅｌｄ：商標名）が放熱部材２７０として採用されることができる。前記スプレッダーシールドは、天然黒鉛の合成物を含み、金属薄膜でラミネートされることができる。放熱部材２７０の熱伝導率は１００Ｗ／ｍＫ〜５００Ｗ／ｍＫであることが好ましく、放熱部材２７０の厚さは、０．０２０インチ〜０．０６０インチであることが好ましい。
【手続補正４】
【補正対象書類名】明細書
【補正対象項目名】００８８
【補正方法】変更
【補正の内容】
【００８８】
収納容器２１０の底面２１１及び光学モジュール１００の間に介在された放熱部材２７０によって収納容器２１０のサイズ、体積、及び重量は、大幅に減少される。